(57)【要約】【課題】  オーバーコートを転写しない非転写領域に対して、精度良くオーバーコートを転写することが可能なサーマルプリンタを提供することを目的とする。【解決手段】  オーバーコートを印画紙に転写するサーマルヘッドと、オーバーコートをサーマルヘッドにより印画紙に転写するためのオーバーコートデータを作成する作成手段と、作成手段により作成されたオーバーコートデータに基づいて、サーマルヘッドにより印画紙にオーバーコートを転写させる制御手段と、を有し、作成手段は、オーバーコート転写領域内に、オーバーコートを転写しない非転写領域が設定された場合に、当該非転写領域を含むオーバーコートデータを作成し、非転写領域を含むオーバーコートデータを作成する場合には、設定された非転写領域よりも非転写領域の副走査方向の大きさが小さくなるようにオーバーコートデータを作成することを特徴とする。【選択図】  図１
2013129086.tif 000002
【特許請求の範囲】
【請求項１】
印画紙にオーバーコートを転写するサーマルプリンタであって、
オーバーコートを印画紙に転写するサーマルヘッドと、
前記オーバーコートを前記サーマルヘッドにより前記印画紙に転写するためのオーバーコートデータを作成する作成手段と、
前記作成手段により作成されたオーバーコートデータに基づいて、前記サーマルヘッドにより印画紙にオーバーコートを転写させる制御手段と、を有し、
前記作成手段は、オーバーコート転写領域内に、オーバーコートを転写しない非転写領域が設定された場合に、当該非転写領域を含むオーバーコートデータを作成し、非転写領域を含むオーバーコートデータを作成する場合には、前記設定された非転写領域よりも非転写領域の副走査方向の大きさが大きくなるようにオーバーコートデータを作成することを特徴とするサーマルプリンタ。
【請求項２】
前記作成手段は、設定された非転写領域を補正する補正手段を有し、補正手段により補正された非転写領域を含むオーバーコートデータを作成することを特徴とする請求項１に記載のサーマルプリンタ。
【請求項３】
前記補正手段は、前記非転写領域における印画開始側の端部が前記印画開始側に移動するように、前記非転写領域を補正することを特徴とする請求項２に記載のサーマルプリンタ。
【請求項４】
前記補正手段は、前記非転写領域における印画終了側の端部が前記印画終了側に移動するように、前記非転写領域を補正することを特徴とする請求項３に記載のサーマルプリンタ。
【請求項５】
前記補正手段は、前記印画開始側の端部における補正量が、前記印画終了側の端部における補正量よりも大きくなるように補正することを特徴とする請求項４に記載のサーマルプリンタ。
【請求項６】
前記補正手段は、前記非転写領域の副走査方向の位置に応じて、前記非転写領域の印画開始側の端部の補正量を決定することを特徴とする請求項２ないし５のいずれか１項に記載のサーマルプリンタ。
【請求項７】
前記補正手段は、前記非転写領域の位置が印画開始側にある場合は、非転写領域が印画終了側にある場合よりも、前記非転写領域の補正量が小さくなるように補正することを特徴とする請求項６に記載のサーマルプリンタ。
【請求項８】
前記補正手段は、前記非転写領域の副走査方向の大きさに応じて、前記非転写領域の印画終了側の端部の補正量を決定することを特徴とする請求項２ないし７のいずれか１項に記載のサーマルプリンタ。
【請求項９】
前記補正手段は、前記非転写領域の副走査方向の大きさが小さい場合には、前記非転写領域の副走査方向の大きさが大きい場合よりも、前記非転写領域の印画終了側の端部の補正量が大きくなるように補正することを特徴とする請求項８に記載のサーマルプリンタ。
【請求項１０】
サーマルヘッドにより印画紙にオーバーコートを転写するサーマルプリンタの制御方法であって、
前記オーバーコートを前記サーマルヘッドにより前記印画紙に転写するためのオーバーコートデータを作成する作成工程と、
前記作成手段により作成されたオーバーコートデータに基づいて、前記サーマルヘッドにより印画紙にオーバーコートを転写させる制御工程と、を有し、
前記作成工程では、オーバーコート転写領域内に、オーバーコートを転写しない非転写領域が設定された場合に、当該非転写領域を含むオーバーコートデータを作成し、非転写領域を含むオーバーコートデータを作成する場合には、前記設定された非転写領域よりも非転写領域の副走査方向の大きさが小さくなるようにオーバーコートデータを作成することを特徴とするサーマルプリンタの制御方法。
【請求項１１】
請求項１０に記載のサーマルプリンタの制御方法をサーマルプリンタに実行させるためのプログラム。
【請求項１２】
請求項１０に記載のサーマルプリンタの制御方法をサーマルプリンタに実行させるためのプログラムが記憶されたコンピュータが読み取り可能な記憶媒体。
【発明の詳細な説明】
【技術分野】
【０００１】
本発明は、オーバーコートを転写するサーマルプリンタに関する。
【背景技術】
【０００２】
従来、昇華型印刷装置では、イエロー、マゼンタ、シアンの染料が塗布されたインクリボンにサーマルヘッドの発熱体から画像データに応じた熱を与えることでカラー画像の印刷が実現される。その後、印画面の耐光性、耐指紋性を向上させる為に保護層として、印画面全体を覆う様にオーバーコートを転写するのが一般的である。
【０００３】
一方、オーバーコートの発展的応用として、オーバーコートの転写量の増減させることにより、オーバーコートで文字情報や図形情報等を記録することが提案されている（特許文献１参照）。
【先行技術文献】
【特許文献】
【０００４】
【特許文献１】特開２００９−０７３０３４号公報
【発明の概要】
【発明が解決しようとする課題】
【０００５】
従来の技術において、オーバーコートを転写しない領域を設けることは出来たが、その場合、オーバーコートを転写しない領域に対して、精度良くオーバーコートを転写させないようにする仕組みについては考慮されていなかった。
【０００６】
そこで、本願発明では、オーバーコートを転写しない非転写領域に対して、精度良くオーバーコートを転写することが可能なサーマルプリンタを提供することを目的とする。
【課題を解決するための手段】
【０００７】
上述の目的を達成するため、本発明のサーマルプリンタは、
印画紙にオーバーコートを転写するサーマルプリンタであって、オーバーコートを印画紙に転写するサーマルヘッドと、前記オーバーコートを前記サーマルヘッドにより前記印画紙に転写するためのオーバーコートデータを作成する作成手段と、前記作成手段により作成されたオーバーコートデータに基づいて、前記サーマルヘッドにより印画紙にオーバーコートを転写させる制御手段と、を有し、前記作成手段は、オーバーコート転写領域内に、オーバーコートを転写しない非転写領域が設定された場合に、当該非転写領域を含むオーバーコートデータを作成し、非転写領域を含むオーバーコートデータを作成する場合には、前記設定された非転写領域よりも非転写領域の副走査方向の大きさが小さくなるようにオーバーコートデータを作成することを特徴とする。
【発明の効果】
【０００８】
本発明によれば、オーバーコートを転写しない領域に対して、精度良くオーバーコートを転写させないようにすることが可能となる。
【図面の簡単な説明】
【０００９】
【図１】第一の実施形態のオーバーコート非転写領域補正の画像処理と印画処理を表したフロー図
【図２】オーバーコート転写の概念図
【図３】オーバーコート非転写領域を説明するための図
【図４】オーバーコート非転写領域が副走査方向に押し潰されていることを説明するための図
【図５】オーバーコート非転写領域が副走査方向に押し潰された形成状態を更に詳しく説明するための図
【図６】オーバーコート転写用データによる補正を説明するための図
【図７】オーバーコート非転写領域の開始位置と補正量を説明するための図
【図８】オーバーコート非転写領域の終了位置と補正量を説明するための図
【図９】非転写領域が複数存在する場合の２番目以降の非転写領域の開始位置補正量の決め方を説明するための図
【図１０】非転写領域が複数存在する場合の２番目以降の非転写領域の終了位置補正量の決め方を説明するための図
【図１１】本実施形態の昇華型ロール紙印刷装置及び該印刷装置に用いられるカートリッジを説明するための図
【図１２】カートリッジが本印刷装置に装着された状態を、側面から見た場合の断面図
【図１３】本印刷装置のシステムブロック図
【図１４】昇華型印刷装置の画像処理と印画処理を表したフロー図
【発明を実施するための形態】
【００１０】
以下、図１１および図１２、図１３を参照して、本発明の実施形態による、印刷システムの概要について説明する。
【００１１】
図１１は、本実施形態にかかる印刷装置２００および印刷装置２００に用いられるカートリッジ２１０の外観構成を示す図である。
【００１２】
図１１に示すように、印刷装置２００は、その側面が開閉しカートリッジ２１０を矢印２２０方向に着脱可能（装着可能／取り出し可能）なハウジング２０１を備え、該ハウジング２０１の上部には、表示部２０２と操作部２０３とが配されている。
【００１３】
表示部２０１はＬＣＤ等の表示画面から構成され、印刷される画像データを表示したり、印刷に必要な設定データを入力するためのメニューを表示したりする。
【００１４】
操作部２０３は、印刷装置の電源のＯＮ／ＯＦＦを指示する電源スイッチ２０４と、表示部２０２に表示された各種メニューを選択するための選択スイッチ２０５とを備える。
【００１５】
カートリッジ２１０には、インクが塗布されているインクリボンと、印画紙としてのロール紙（ローラに巻き回された帯状の記録媒体）とが収納されている。また、カートリッジ２１０を印刷装置２００に装着する前の状態では、ロール紙はハウジング２１１により密閉された構成となっており、ユーザーがロール紙に直接触れることがない構成となっている。印刷時にはロール紙がカートリッジ２１０から引き出され、インクリボンに塗布されたインクを印刷装置のサーマルヘッドによりロール紙に転写して、印画が行われる。
【００１６】
図１２は、カートリッジ２１０が印刷装置２００に装着された状態を、印刷装置２００の側面から見た場合の断面図である。図１２を用いて、印刷装置２００が印刷処理を行う際に動作する各部の構成について簡単に説明する。なお、上述の説明において既出の構成については、同じ参照番号を付すこととし、ここでは説明は省略する。
【００１７】
図１２において、３０１はカートリッジ２１０に内包されたロール紙３１３−２が印画時に印画位置３１１まで引き出される場合に通過する搬送路である。３０２はカートリッジ出口である。ローラ３１３−１に巻き回されていたロール紙３１３−２は分離部材３１４により引き剥がされることで、カートリッジ出口３０２よりカートリッジ２１０外部に引き出され、搬送路３０１を通過する。
【００１８】
３０３−１、３０３−２はカール取りローラ及びカール取り従動ローラであり、ロール紙３１３−２の巻き癖を矯正する。３０４−１、３０４−２はグリップローラ及びピンチローラであり、ロール紙３１３−２を介して対向する位置に配され、ロール紙３１３−２の表裏面を挟持する。グリップローラ３０４−１とピンチローラ３０４−２の１対のローラが正転（グリップローラ３０４−１が紙面に向かって左回りに回転）することで、カートリッジ２１０から引き出されたロール紙３１３−２が、印画位置３１１に向かって搬送する。ロール紙の先端は光学センサー３２３によって検知される。光学センサー３２３によってロール紙の先端が検出されることで、ロール紙の位置を把握ながら搬送させることが出来る。また、光学センサー３２３はロール紙の終端付近に設けられた穴または終端マークを検出することで用紙を使い終ったことを判定する機能も兼ねている。
【００１９】
なお、カートリッジ２１０が印刷装置２００に装着された状態では、印画位置３１１に対応する位置においてインクリボン３１５を覆っていたカートリッジ２１０のハウジングは取り除かれている。そして、インクリボン３１５がカートリッジ２１０外部に露出した状態となっている。
【００２０】
３０５はプラテンローラであり、印画時に印画位置３１１において、サーマルヘッド３２１との間で、インクリボン３１５とロール紙３１３−２とを重畳させて圧接させた圧接状態を維持する。また、非印画時には、サーマルヘッド３２１はプラテンローラ３０５から離間した離間状態となる。
【００２１】
排紙ローラ３０６は、印画後のロール紙３１３−２を排紙方向（図中の右方向）に搬送するためのローラである。３０７は排紙蹴りだしローラであり、凹凸部を備え、印画され切断されたロール紙３１３−２を不図示の排紙ボックスに蹴りだす。排紙ローラ３０６と排紙蹴りだしローラ３０７とは、ロール紙３１３−２を介して対向する位置に配され、ロール紙３１３−２の表裏面を挟持する。
【００２２】
３０８はカッターモータ３２２の動作をカッターユニットに伝達するギア列である。３０９、３１０はカッターユニットを構成するカッター刃とカッター受け刃であり、ロール紙３１３−２の搬送路を挟んで、対向した位置に配置されている。カッター刃３０９とカッター受け刃３１０は、ギア列３０８により駆動され、はさみ状に上下の刃がすりあわされることにより、ロール紙３１３−２を切断することが出来る。
【００２３】
印画時の印画処理について簡単に説明する。
【００２４】
カートリッジ２１０から給紙されたロール紙は、グリップローラ３０４−１とピンチローラ３０４−２によりロール紙を印画開始位置まで搬送させる。印画開始位置とは、印画位置３１１からロール紙の先端までの距離が印刷領域の距離となるように排紙方向にロール紙を搬送させた位置である。印画開始位置になると、それまでプラテンローラ３０５と離間状態だったサーマルヘッド３２１は圧接状態となり、印画が開始される。印画時は、グリップローラ３０４−１とピンチローラ３０４−２により、ロール紙を、給紙や排紙方向と逆の方向（図中の左側）に搬送させながら、サーマルヘッドの発熱体を加熱するによりインクリボン３１５のインクをロール紙に転写させる。１色のインクの印画が終了すると、再びサーマルヘッドを離間状態にし、ロール紙を印画時とは逆方向に搬送して印画開始位置まで搬送させる。そして、次の色のインクを転写させる。このように、イエロー、マゼンタ、シアン、オーバーコートを１つの印刷領域に重ねて転写させることで、画像の印画とオーバーコートの転写を実行する。
【００２５】
印画が終了した後には、ロール紙３１３−２を排紙方向に搬送する。そして、印刷領域の端部が、カッター刃３０９とカッター受け刃３１０の位置になるまで搬送して搬送を停止する。そして、カッターユニットにより、ロール紙を印刷領域の端部で切断し、切断されたロール紙は、排紙ローラにより印刷装置２００の外部に排出される。
【００２６】
更に本印刷装置のシステムブロック図について、図１３を用いて説明する。
【００２７】
４１０は印刷装置全体を制御したり、デジタル画像の処理を行ったり、ＵＳＢ通信の制御やＬＣＤの制御を行うためのＣＰＵ。４１１は印刷装置を制御するためのプログラムやＬＣＤモニタ４１７に表示するＧＵＩ用のアイコンデータや画像合成を行う為のフレームデータ等を格納するＦｌａｓｈ  Ｍｅｍｏｒｙ。４１２は、プログラム動作時や画像処理時に使用したりＬＣＤモニタに表示するデータを格納する為のワークメモリとしてのＳＤＲＡＭ。４１３は、昇華プリンタ部分のサーマルヘッド及びＬＦモータ、ＵＤモータを制御する為のヘッド・モータ制御ＩＣ、４１４は昇華プリンタの主要部品であるサーマルヘッド。サーマルヘッドには、発熱体が１５３６個一列に配列されている。４１５は、ＬＦモータ、ＵＤモータを駆動するモータドライバー。ここで、ＬＦモータは、グリップローラ３０４−１や排紙ローラ３０６を駆動させたり、インクリボン３１５を搬送させたりするためのモータモータである。また、ＵＤモータは、サーマルヘッド３２１の離間、圧接状態を切り換えたり、カッター刃を駆動させたりするためのモータである。４１６は、ＬＣＤモニタ４１７を駆動する為のＬＣＤドライバ。４１７は、デジタル画像や本装置の操作を行う為のグラフィカルユーザーインターフェイス（ＧＵＩ）を表示する為のＬＣＤモニタ。４１８はＵＳＢのプロトコルデータを振り分ける為のＵＳＢ  ＨＵＢでカードメモリコントローラ４１９とＵＳＢ  Ａコネクターに接続されている。４１９はＵＳＢインターフェイスを有するカードメモリコントローラで複合カードスロットに接続されている。ＣＰＵ４１０は、Ｆｌａｓｈ  Ｍｅｍｏｒｙ４１１に格納されているプログラムを読み出し。読み出したプログラムに基づいて、演算処理や、図１３の各ブロック、図１２の各部の制御を実行する。
【００２８】
印刷装置２００は、カードスロットに装着されたメモリカードに記録された画像を表示部２０２（ＬＣＤモニタ４１７）に表示させ、操作部２０３への操作によりユーザーに印刷対象の画像の選択を行わせて、選択された画像の印刷処理を実行する。ここで、画像の選択だけではなく、（表示部２０２）に表示させ、操作部２０３印刷条件の設定もユーザーに選択させても良い。ＣＵＰ４１０は、印刷設定された画像に画像処理を施し、その後印刷データへの変換を行い、印刷データに基づいて、ＣＵＰ４１０、ヘッド・モータ制御ＩＣ４１３の制御により、前述の印画処理を実行する。
【００２９】
図１４は、昇華型印刷装置２００の画像処理と印画処理を表したフローである。
【００３０】
まず、印刷装置のメモリー上に印刷指定された画像の画像データ（本実施形態ではＪＰＥＧデータとする）を読み込む１０１。次に、読み込んだＪＰＥＧデータを伸張し、ユーザーが指定した所定の用紙サイズに対応した画像サイズにリサイズを行う１０２。この時点で画像データはＹＵＶデータ形式に変換されている。次に、エッジ強調、自動レベル補正等の画像補正をおこなう１０３。その後、ＹＵＶデータ形式から、印刷装置での印画データ形式であるイエロー（Ｙ）、マゼンタ（Ｍ）、シアン（Ｃ）へ画像データ変換を行う１０４。ここまでで、画像処理工程が終了する。
【００３１】
次に、印画処理について説明するが、印画処理時の印刷装置２００の動作は前述したので説明を省略する。印画処理では、イエロー（Ｙ）印画（Ｓ１０５）、マゼンタ（Ｍ）印画（Ｓ１０６）、シアン（Ｃ）印画（Ｓ１０７）を順番に行う。３色の印画処理では、各色の画像データの階調数に応じて印刷装置のサーマルヘッドの直線状に配列された発熱体への通電を行い、その結果発生する熱によって、インクリボンから用紙受容層への染料の遷移を行う。この時、各色の染料が塗布されたインクリボンと用紙をサーマルヘッドとプラテンローラで狭持し、インクリボンと用紙を合わせて一定速度で走行させることで１色分の印画工程が終了する。
【００３２】
その後、耐水性、耐光性、耐指紋性を向上させる為にオーバーコート転写工程が行われる（Ｓ１０８）。
【００３３】
通常は、このオーバーコート転写処理で、色インクで画像が印刷された印刷領域の全面を覆うように一様にオーバーコートを転写する。図２にオーバーコート転写の概念図を示す。
【００３４】
オーバーコート転写もサーマルヘッドへの通電によって行われ、オーバーコート転写用データに従って通電が行われる。このオーバーコート転写用データは、前記イエロー、マゼンタ、シアンの各色の画像データと同じ形式である。従って、印刷領域を全面覆うように一様にオーバーコートを転写する際には、オーバーコート転写用データは、図２に示すような全面一定階調のデータになる。例えば、最大階調２５５のうち、オーバーコート転写用階調は１８０となる。
【００３５】
以下に、本発明の好ましい実施の形態を詳細に、添付の図面に基づいて説明する。
【００３６】
（第一の実施形態）
本実施形態では、オーバーコートを転写させない非転写領域を設けている。
【００３７】
図３にオーバーコート非転写領域での図形情報形成方法の説明をする。
【００３８】
図３−１でイエロー、マゼンタ、シアン染料の転写によるカラー印刷が完了している。
【００３９】
図３−２は、オーバーコート非転写領域で正方形の図形情報を形成する為のオーバーコート転写データである。オーバーコート転写部は一定の階調データを持ち、オーバーコート非転写とする部分はゼロデータとなる。
【００４０】
図３−２のオーバーコート転写データに基づいて図３−１のカラー印刷完了後の画像の上にオーバーコートを転写することで、図３−３に示すようなオーバーコート非転写領域で正方形の図形情報を形成することができる。
【００４１】
しかし、実際にオーバーコートを転写させてオーバーコート非転写領域を良く見ると、図４のようになる。図４（１）は、非転写領域の設定値が、主走査方向の大きさがａ、副走査方向の大きさがｂの長方形の場合の、設定値と実際に転写されるオーバーコートの領域を示している。図４（２）は、非転写領域の設定値が直径ｃの円形の場合の、設定値と実際に転写されるオーバーコートの領域を示している。
【００４２】
図４において、非転写領域の主走査方向の大きさａ、ｃは、非転写領域の設定値と実際の非転写領域でほぼ等しく、ａ≒ａ’、ｃ≒ｃ’となる。しかし、非転写領域の副走査方向の大きさｂ、ｃは、非転写領域の設定値と実際の非転写領域でことなり、ｂ＞ｂ’、ｃ＞ｃ’となる。
【００４３】
この様子について図５を参照して詳しく説明する。
【００４４】
主走査方向の非転写領域については、設定値と実際の転写領域が変わらないものとして説明は省略し、副走査方向の非転写領域の設定値と、実際の転写領域について説明する。
【００４５】
図５（１）に示すように、非転写領域が主走査方向の大きさがａ、副走査方向の大きさがｂの長方形の場合について説明する。図５（１）では、全体の転写領域中の副走査方向のＸ１からＸ２までが、非転写領域として設定されている。ここで、Ｘ１からＸ２までの距離（Ｘ２−Ｘ１）が非転写領域の副走査方向の大きさｂとなる。
【００４６】
しかし、実際に図５（１）のような設定で、全体の転写領域の階調値を１８０、非転写領域の階調値を０としてオーバーコートを転写させると、図５（２）のようにオーバーコートが転写される。
【００４７】
図５（２）のように、オーバーコートは、Ｘ１からＸ２まで非転写となるべきであるが、実際にはＸ３からＸ４までが非転写領域となる。ここで、Ｘ３＝Ｘ１＋ｄｆ、Ｘ４＝Ｘ２−ｄｔであり、副走査方向の非転写領域の大きさｂ’は、ｂ’＝ｂ−ｄｆ−ｄｔ、となる。
【００４８】
つまり、転写領域から非転写領域に切り替わるＸ１（非転写領域の端部であり、印画方向において前の方の端部（紙搬送方向に対して非転写領域の先端））では、階調値を０にしてもオーバーコートの転写がすぐに終わらずに、しばらく転写され続けてしまう。また、非転写領域から転写領域に切り替わるＸ２（非転写領域の端部であり、印画方向において後の方の端部（紙搬送方向に対して非転写領域の後端））では、転写領域に切り替わる直前からオーバーコートが転写されている。これらは、サーマルヘッドの熱が、加熱したラインのオーバーコートだけでなく、その周囲のオーバーコートにも伝わることによるためであると考えられる。
【００４９】
そして、ｄｆ＞ｄｔの関係になっている。これは、サーマルヘッドの蓄熱量に関係すると考えられ、蓄熱量が多いほど、非転写に設定されている領域であるにもかかわらずオーバーコートが転写されてしまう領域が大きくなると考えられる。ｄｆでは、直前まで転写領域でサーマルヘッド全体に熱が加えられているのに対し、ｄｔの直前は非転写領域があるために、サーマルヘッドの一部にしか熱が加えられていないため、放熱され、ｄｆよりも蓄熱量がｄｆよりも少なくなっている。
【００５０】
このように、オーバーコートの転写領域内に非転写領域を設けてオーバーコートを転写する場合は、実際にオーバーコートが転写される領域は、設定された非転写領域（オーバーコートの転写用のデータ）とはずれてしまう。
【００５１】
そこで、本発明では、オーバーコート転写領域内に非転写領域を設けてオーバーコートを転写する場合。所望する位置にオーバーコートが転写されるように、オーバーコートのズレ量（ｄｆやｄｔ）を考慮して、オーバーコート転写用データを作成する。
【００５２】
以下に、オーバーコートのズレ量を考慮して、オーバーコート転写用データを作成する方法について説明する。
【００５３】
本実施形態では、図６に示すようにオーバーコート転写用データの非転写領域を形成するデータを予め副走査方向に大きめに補正して、設定した領域にオーバーコートがずれなく転写されるようにオーバーコート転写用データを作成する。
【００５４】
本実施形態のオーバーコート非転写領域形成の流れを図１のフローチャートを用いて説明する。基本的には図１４の通常のカラー印刷後にオーバーコートを転写するフローと同じである。従って、図１４の印刷装置の画像処理と印画処理を表したフローと同じ処理の部分には同様の番号を付しているので説明は省略する。
【００５５】
図１４と異なるのは、画像処理において、Ｓ１０４でＹ，Ｍ，Ｃの印画用データを作成した後に、オーバーコート用のオーバーコートデータを作成（Ｓ１１０）している。図１４の通常の印刷処理では、常にオーバーコート用のデータは印刷領域一面に階調値＝１８０のデータを使用していたので、新しくデータを作成する必要はなかった。それに対し、本実施形態では印刷領域内にオーバーコート非転写領域を設けるため、新たにオーバーコート用のデータを作成する必要があり、また、オーバーコートのズレ量を考慮して階調値＝０とする領域を補正してオーバーコート用のデータを作成する。
【００５６】
ここで、Ｓ１１０における、オーバーコート用データの作成方法を、図６を参照して説明する。
【００５７】
本実施形態では、図６（１）のように、オーバーコートの転写領域内に、図５（１）と同様の非転写領域（主走査方向の大きさがａ、副走査方向の大きさがｂの長方形）が設定されている場合を一例として説明する。ここでも、図５（１）と同様に、印画開始位置を０としたときの副走査方向のＸ１からＸ２までが、非転写領域として設定されている。設定されている非転写領域のままオーバーコート用データを作成すると、図５のように非転写領域が副走査方向についてずれてしまう。そのため、図６（２）のように、副走査方向に非転写領域（オーバーコート用データの階調値を０とする領域）を副走査方向に広げる。転写領域から非転写領域に切り替わるＸ１（非転写領域の端部であり、印画方向において前の方の端部）では、Ｘ１より前のＸ５までΔｄｆだけ非転写領域を広げる。また、非転写領域から転写領域に切り替わるＸ２（非転写領域の端部であり、印画方向において後の方の端部）では、Ｘ２より後のＸ６までΔｄｔだけ非転写領域を広げる。このようにして、Ｘ５からｘ６までを非転写領域とし、非転写領域の服走査方向の大きさを、設定値よりもΔｄｆ＋Δｄｔだけ大きくすることで、実際にオーバーコートを転写させたときに、図６（３）のように設定値通りにオーバーコートが転写されるようになる。ここで、ΔｄｆおよびΔｄｔは予め実験等で決められた、図５のｄｆ、ｄｔに応じた値で、Ｆｌａｓｈ  Ｍｅｍｏｒｙ４１１に格納されている。
【００５８】
なお、本実施形態では、長方形を一例に説明したが、他の形状の非転写領域であっても実現可能である。この場合、印画方向において印画方向開始側の方の非転写領域の端部については、その端部からΔｄｆだけ印画方向の開始側の位置まで端部を移動させて非転写領域を広げる。つまり、副走査方向において、印画開始側の端部にΔｄｆライン分非転写領域のデータを追加する補正を行うことで非転写領域を広げる。
【００５９】
そして、非転写領域の印画終了側の端部については、その端部からΔｄｔだけ印画終了側の位置まで端部を移動して非転写領域を広げる。つまり、印画終了側の端部に、Δｄｔライン分の非転写領域のデータを追加することで非転写領域を広げる。
【００６０】
このようにして、非転写領域を補正してオーバーコート用のデータを作成することで、非転写領域が設定とずれることなくオーバーコートを転写することが可能となる。
【００６１】
また、本実施形態では、主走査方向については、ほとんどオーバーコートの転写のズレ量が発生しないとしたが、主走査方向についても、実際の転写領域が狭くなってしまう場合は、非転写領域を広げたオーバーコート用のデータを作成し、使用すると良い。
【００６２】
また、非転写領域の印画方向の後の方の端部でズレ量が少ない場合は、非転写領域の印画方向の前の方の端部のみ非転写領域を広げてオーバーコート用データを作成し、使用するようにても良い。
【００６３】
（第二の実施形態）
本実施形態では、基本的な動作は第一の実施形態と同じであるので説明を省略する。本実施形態では、オーバーコート非転写領域の副走査方向の印画開始側の端部の補正量の決め方が異なっているため説明する。
【００６４】
図７に示しているように、オーバーコート非転写領域の開始位置が印画開始位置から遅い位置になるに従って設定値からのズレ量は大きくなり、オーバーコートが余計に転写された形となる。図７（２）
これは、サーマルヘッドに蓄積される熱が印画後半になる程多くなり、この余熱の影響でオーバーコートが余計に転写されてしまい、オーバーコート非転写領域の開始位置、即ちオーバーコート転写終了位置が設定値より遅れる為である。
【００６５】
従って、本実施形態では、オーバーコート非転写領域の開始位置の補正データ量を印画開始からの印画ライン数によって変える。
【００６６】
即ち、オーバーコート非転写領域の開始位置の印画スタートからのライン数が少なければ、補正量Δｄｆを小さく。オーバーコート非転写領域の開始位置の印画スタートからのライン数が多ければ、補正量Δｄｆを大きくする。
【００６７】
印画開始からオーバーコート非転写領域開始位置までのライン数がＬｓの場合の補正量Δｄｆｎは、
Δｄｆｎ＝Ｋｈ  ｘ  ＴＨｓ  ｘ  Ｌｓ                ・・・（１）
Ｋｈ    ：  オーバーコート保護剤剥離係数
ＴＨｓ  ：  サーマルヘッド蓄熱係数
となる。なお、Ｋｈ、ＴＨｓの係数は、Ｆｌａｓｈ  Ｍｅｍｏｒｙ４１１に記録されており、これらの値を元にオーバーコートデータ作成時にＣＰＵ４１０がΔｄｆｎを算出する。
【００６８】
オーバーコート保護剤剥離係数（Ｋｈ）は、オーバーコートに用いられる保護剤の特性、オーバーコートを転写時の印画速度等によって決まる。また、サーマルヘッドの蓄熱係数（ＴＨｓ）は、サーマルヘッドの熱特性、オーバーコート転写時にサーマルヘッドに印加する熱エネルギー量等によって決まる。また、Ｋｈ  ｘ  ＴＨｓの値、または、非転写領域開始位置までのライン数がＬｓに対応する補正量Δｄｆｎの値をテーブルとして、Ｆｌａｓｈ  Ｍｅｍｏｒｙ４１１格納しておいて使用しても良い。
【００６９】
（第三の実施形態）
本実施形態では、基本的な動作は第一、第二の実施形態と同じであるので説明を省略する。本実施形態では、オーバーコート非転写領域の印画方向における前の方の端部の補正量の決め方が異なっているため図８を用いて説明する。
【００７０】
図８（１）と図８（２）とは、オーバーコート非転写領域の開始位置が同じなので、非転写領域の開始位置でのサーマルヘッドの蓄熱量は同じである。オーバーコート非転写領域の開始位置が同じで、オーバーコート非転写領域の終了位置が異なる場合には、オーバーコート非転写領域の終了位置が早いほど、設定位置からのズレ量は大きくなり、オーバーコートが余計に転写された形となる。
【００７１】
これは、オーバーコート非転写領域の終了位置が早いと言うことは、サーマルヘッドに蓄積された熱が十分に放熱されないで、余熱が溜まったままオーバーコート転写を再度開始する為に、印画ライン周辺にも熱が加わりやすくなる。そのため、所望しない余分な領域にオーバーコートが転写される為である。
【００７２】
従って、本実施形態では、オーバーコート非転写領域の終了位置の補正データ量を、オーバーコート非転写領域の終了位置（オーバーコート非転写領域のライン数）によって変える。
【００７３】
即ち、オーバーコート非転写領域のライン数が小さければ、補正量Δｄｔを大きく、オーバーコート非転写領域のライン数が大きければ、補正量Δｄｔを小さくする。
【００７４】
次に、オーバーコート非転写領域の開始位置が違うことによっても、オーバーコート非転写領域の終了位置でのサーマルヘッドの蓄熱量は変わる。従って、本実施形態の第二のポイントは、オーバーコート非転写領域の終了位置の補正データを決定する時にオーバーコート非転写領域の開始位置の印画スタートからのライン数も考慮すると言う点である。
【００７５】
オーバーコート非転写領域の副走査方向の印画終了側の端部の補正量Δｄｔは、
数式では、
Δｄｔ  ＝  Ｋｔ  ｘ（ＴＨｓ  ｘ  Ｌｓ−ＴＨｒ  ｘ  Ｌｆ）      ・・・（２）
Ｋｔ    ：  オーバーコート保護剤転写係数
ＴＨｓ  ：  サーマルヘッド蓄熱係数
Ｌｓ    ：  印画開始からオーバーコート非転写領域開始位置までのライン数
ＴＨｒ  ：  サーマルヘッド放熱係数
Ｌｆ    ：  非転写領域ライン数
と現せる。
【００７６】
オーバーコート保護剤転写係数（Ｋｔ）は、オーバーコートに用いられる保護剤の特性、オーバーコートを転写時の印画速度等によって決まる。また、サーマルヘッドの蓄熱係数（ＴＨｓ）は、サーマルヘッドの熱特性、オーバーコート転写時にサーマルヘッドに印加する熱エネルギー量等によって決まる。
【００７７】
更に、サーマルヘッド放熱係数（ＴＨｒ）は、サーマルヘッドの熱特性によって決まる。
【００７８】
従って、本実施形態では、オーバーコート非転写領域の終了位置の補正データ量をオーバーコート非転写領域開始位置とオーバーコート非転写領域のライン数によって変える。
【００７９】
（第四の実施形態）
本実施形態では、基本的な動作は第一の実施形態と同じであるので説明を省略する。本実施形態では、オーバーコート非転写領域の印画開始方向の補正量の決め方が異なっているため図９を用いて説明する。
【００８０】
オーバーコート非転写領域が一個しか無い場合や、オーバーコート非転写領域が複数個ある場合の一番目のオーバーコート非転写領域の開始位置の補正量Δｄｆは、印刷スタートからのライン数によって決まるサーマルヘッドの蓄熱を基に決定する。
【００８１】
しかし、オーバーコート非転写領域が複数個ある場合にオーバーコート非転写領域の開始位置の補正量Δｄｆを決定する為には、通電率を考慮する必要がある。
【００８２】
通電率とは、１ライン分のオーバーコート転写時にサーマルヘッド発熱体の何パーセント通電しているかの割合である。発熱体全てを通電している場合は１００パーセント、通電していない場合は０パーセントである。
【００８３】
通電率の割合が大きいほど、サーマルヘッドの発熱体に印画する熱エネルギー量が多くなり、その結果サーマルヘッドに蓄えられる熱量が多くなる。
【００８４】
オーバーオート非転写領域が複数個ある場合の２番目以降のオーバーコート非転写領域開始位置の補正量Δｄｆは、
数式では、
Δｄｆｎ  ＝  Ｋｈ  ｘ  Ｈｓ，ｎ                            ・・・（３）
Ｋｈ      ：  オーバーコート保護剤剥離係数
Ｈｓ，ｎ  ：  各ラインの通電率を考慮したオーバーコート非転写領域開始位置蓄熱量
と現せる。
【００８５】
（第五の実施形態）
本実施形態では、オーバーコート非転写領域が複数個ある場合の印画スタートから２番目以降のオーバーコート非転写領域の副走査方向の印画終了側の端部の補正量の決め方を提案する。
【００８６】
図１０を用いて、オーバーコート非転写領域が複数個ある場合のオーバーコート非転写領域の印画終了方向の補正量の決め方を説明する。
【００８７】
オーバーコート非転写領域が複数個ある場合の印画スタートから２番目以降のオーバーコート非転写領域の印画終了方向の補正量を決める為には、オーバーコート非転写領開始位置の蓄熱量を計算する時に、各ラインの通電率を考慮する必要がある。
【００８８】
数式では、
Δｄｔ  ＝  Ｋｔ  ｘ（Ｈｓ，ｎ−Ｈｒ，ｎ）      ・・・（４）
Ｋｔ    ：  オーバーコート保護剤転写係数
Ｈｓ，ｎ  ：  各ラインの通電率を考慮したｎ番目オーバーコート非転写領域開始位置蓄熱量
Ｈｒ，ｎ  ：  非転写領域放熱量
と現せる。
【００８９】
（その他の実施形態）
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせて実現してもよい。
【００９０】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００９１】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
その場合、プログラムの機能を有していれば、オブジェクトコード、インタプリタにより実行されるプログラム、ＯＳに供給するスクリプトデータ等、プログラムの形態を問わない。
【００９２】
プログラムを供給するための記録媒体としては、例えば、ハードディスク、磁気テープ等の磁気記録媒体、光／光磁気記憶媒体、不揮発性の半導体メモリでもよい。
【００９３】
また、プログラムの供給方法としては、コンピュータネットワーク上のサーバに本発明を形成するコンピュータプログラムを記憶し、接続のあったクライアントコンピュータがコンピュータプログラムをダウンロードしてプログラムするような方法も考えられる。
【００９４】
また、実施例ではタッチパネル形態のＬＣＤ表示装置を例に挙げているが、マウスを使った操作や、ＬＣＤ以外の表示装置を使ったものでも適用可能である。
【図１】
2013129086.tif 000003
【図２】
2013129086.tif 000004
【図３】
2013129086.tif 000005
【図４】
2013129086.tif 000006
【図５】
2013129086.tif 000007
【図６】
2013129086.tif 000008
【図７】
2013129086.tif 000009
【図８】
2013129086.tif 000010
【図９】
2013129086.tif 000011
【図１０】
2013129086.tif 000012
【図１１】
2013129086.tif 000013
【図１２】
2013129086.tif 000014
【図１３】
2013129086.tif 000015
【図１４】
2013129086.tif 000016